(57)【特許請求の範囲】
【請求項１】
円盤状の栽培地を水平に設置して繰返し収穫が可能な野菜を育成し、栽培地の日照前側の半部で育成された野菜を収穫した後、栽培地を円盤中心点を中心に回転させて栽培地の日照外側の半部で育成されていた野菜を日照前側に位置させる野菜栽培方法であって、日照前側の半部で育成された野菜を収穫する際に栽培地を日照前側にスライドさせることを特徴とする野菜栽培方法。
【請求項２】
繰返し収穫が可能な野菜が育成される円盤状の栽培地と、栽培地を水平に設置させて手動によって円盤中心点を中心に回転させることができるように支持する回転受座とを備えてなる野菜栽培設備であって、前期回転受座は栽培地を日照前後側方向にスライドさせることができるよう支持することを特徴とする野菜栽培設備。
【発明の詳細な説明】
【技術分野】
【０００１】  本発明は、構築物の近辺等のような日照に制約のある環境下で繰返し収穫が可能な野菜を育成，収穫するための野菜栽培に係る技術分野に属する。
【背景技術】
【０００２】  目照に制約のある環境下で栽培される野菜としては、日照特性から陰性野菜，半陰性野菜として分類されるものがある。然しながら、これ等の陰性野菜，半陰性野菜についても、ある程度の日照は必要であるとされている。ちなみに、陰性野菜では１〜２時間／日、半陰性野菜では３〜４時間／日といわれている。【０００３】  日照に制約のある環境下での野菜の栽培では、栽培地がある程度の規模になると栽培地の日照に差が生じやすく、元々制約されている日照にわずかな差が生じることで野菜の生育に極端な差をもたらすことになる。特に、繰返し収穫（１年間で複数回の収穫）が可能な野菜については、生育の差から収穫量が大きく減退してしまうことになる。【０００４】  このため、日照に制約のある環境下での繰返し収穫が可能な野菜の栽培において、ある程度の規模を有した栽培地の日照の差を解消することのできる技術の開発が要望されている。【０００５】  従来、前述の要望に応える技術としては、例えば、特許文献１に記載のものが知られている。【０００６】  特許文献１には、栽培地を複数に分割して観覧車型に回転可能に支持してなる技術が記載されている。【０００７】  特許文献１に係る技術は、分割された栽培地を回転によって順次日照の良好な位置に送込むことによって、栽培地の全体の日照の差を解消しようとするものである。
【先行技術文献】
【特許文献】
【０００８】
【特許文献１】  実用新案登録第３１３４１３７号公報
【発明の概要】
【発明が解決しようとする課題】
【０００９】  特許文献１に係る技術では、分割された栽培地のために支持脚構造や回転駆動機構を備えなければならないため、装置規模が大型化してしまうという問題点がある。また、分割された栽培地を観覧車型に構成するため、ある程度の設備高さが確保される場所でしか実施することができないという問題点がある。【００１０】  本発明は、このような問題点を考慮してなされたもので、日照に制約のある環境下での繰返し収穫が可能な野菜の栽培について、装置規模を大型化させることなく、低い設備高さしか確保することのできない場所でも実施することのできる野菜栽培方法と、この野菜栽培方法を実施するに好適な野菜栽培設備とを提供することを課題とする。
【課題を解決するための手段】
【００１１】  前述の課題を解決するため、本発明に係る野菜栽培方法は、特許請求の範囲の請求項１，２に記載の手段を採用する。【００１２】  即ち、請求項１では、円盤状の栽培地を水平に設置して繰返し収穫が可能な野菜を育成し、栽培地の日照前側の半部で育成された野菜を収穫した後、栽培地を円盤中心点を中心に回転させて栽培地の日照後側の半部で育成されていた野菜を日照前側に位置させる。【００１３】  この手段では、円盤状の栽培地の日照前側の半部で育成されている繰返し収穫が可能な野菜を収穫することとし、収穫ごとに栽培地を回転させて栽培地の日照前側，日照後側を入替えることで、少なくとも２回の収穫期を通して栽培地の全体の日照の差を解消する。【００１４】  また、請求項２では、請求項１の野菜栽培方法において、日照前側の半部で育成された野菜を収穫する際に栽培地を日照前側にスライドさせることを特徴とする。【００１５】  この手段では、野菜の収穫の際に栽培地を日照前側にスライドさせることで、日照の制約の少ない側である相対的に広く開放された位置に栽培地をスライドさせる。【００１６】  前述の課題を解決するため、本発明に係る野菜栽培設備は、特許請求の範囲の請求項３〜６に記載の手段を採用する。【００１７】  即ち、請求項３では、繰返し収穫が可能な野菜が育成される円盤状の栽培地と、栽培地を水平に設置させ手動によって円盤中心点を中心に回転させることができるように支持する回転受座とを備えてなる。【００１８】  この手段では、栽培地と回転受座とを備えることで、簡単な構造で円盤形の栽培地の手動による回転を構成することができる。【００１９】  また、請求項４では、請求項３の野菜栽培設備において、回転受座は栽培地を日照前後側方向にスライドさせることができるように支持することを特徴とする。【００２０】  この手段では、回転受座に栽培地をスライドさせる構造が備えられることで、簡単な構造で円盤形の栽培地のスライドを構成することができる。【００２１】  また、請求項５では、請求項４の野菜栽培設備において、回転受座は栽培地のスライド限界を規制するストッパが設けられていることを特徴とする。【００２２】  この手段では、回転受座に栽培地のスライド限界を規制するストッパが設けられることで、栽培地の回転受座からの脱落や回転受座の上での姿勢の不安定化が防止される。【００２３】  また、請求項６では、請求項３〜５のいずれかの野菜栽培設備において、栽培地は手動で回転させる際に手が掛けられる取手が設けられていることを特徴とする。【００２４】  この手段では、栽培地に取手が設けられることで、栽培地の手動による回転を容易かつ確実に行うことができる。
【発明の効果】
【００２５】  本発明に係る野菜栽培方法は、円盤状の栽培地の日照前側の半部で育成されている繰返し収穫が可能な野菜を収穫することとし、収穫ごとに栽培地を回転させて栽培地の日照前側，日照後側を入替えることで、少なくとも２回の収穫期を通して栽培地の全体の日照の差を解消するため、栽培地のための支持脚構造や回転駆動機構が不要で平面的な設備高さとされ、日照に制約のある環境下での繰返し収穫が可能な野菜の栽培について、装置規模を大型化させることなく、低い設備高さしか確保することのできない場所でも実施することができる効果がある。【００２６】  また、請求項２として、野菜の収穫の際に栽培地を日照前側にスライドさせることで、日照の制約の少ない側である相対的に広く開放された位置に栽培地をスライドさせるため、野菜の収穫作業を容易に行うことができるようになる。【００２７】  さらに、本発明に係る野菜栽培設備は、栽培地と回転受座とを備えることで、簡単な構造で円盤形の栽培地の手動による回転を構成することができるため、本発明に係る野菜栽培方法を実施するに好適である効果がある。【００２８】  また、請求項４として、回転受座に栽培地をスライドさせる構造が備えられることで、簡単な構造で円盤形の栽培地のスライドを構成することができるため、栽培地をスライドさせる構成を備えた本発明に係る野菜栽培方法を実施するに好適である効果がある。【００２９】  また、請求項５として、回転受座に栽培地のスライド限界を規制するストッパが設けられることで、栽培地の回転受座からの脱落や回転受座の上での姿勢の不安定化が防止されるため、栽培地の回転，スライドを安定的かつ確実に実行することができる効果がある。【００３０】  また、請求項６として、栽培地に取手が設けられることで、栽培地の手動による回転を容易かつ確実に行うことができるため、栽培地の操作性が良好になる効果がある。
【図面の簡単な説明】
【００３１】
【図１】  本発明に係る野菜栽培方法および野菜栽培設備を実施するための形態の第１例の斜視図であり、（Ａ）に野菜栽培設備の分解状態が示され、（Ｂ）に野菜栽培設備の組立状態が示されている。
【図２】  図１の野菜栽培設備の施工例の要部の斜視図である。
【図３】  図２の側面断面図である。
【図４】  図３の野菜の収穫状態を示す図である。
【図５】  図４の栽培地の回転状態を示す図である。
【図６】  図３〜図５に示される野菜栽培方法のフローチャートである。
【図７】  本発明に係る野菜栽培方法および野菜栽培設備を実施するための形態の第２例の要部の斜視図である。
【図８】  図７の全体の組立状態の斜視図であり、（Ａ），（Ｂ）に異なる動作状態が示されている。
【図９】  図７，図８の施工例の側面断面図である。
【図１０】  図９の要部の平面図である。
【図１１】  図９，図１０に示される野菜栽培方法のフローチャートである。
【図１２】  本発明に係る野菜栽培方法および野菜栽培設備を実施するための形態の第３例の施工例の側面断面図である。
【図１３】  本発明に係る野菜栽培方法および野菜栽培設備を実施するための形態の第４例の施工例の側面断面図である。
【図１４】  本発明に係る野菜栽培方法および野菜栽培設備を実施するための形態の第５例の施工例の側面図である。
【図１５】  本発明に係る野菜栽培方法および野菜栽培設備を実施するための形態の第６例の施工例の側面図である。
【発明を実施するための形態】
【００３２】  以下、本発明に係る野菜栽培方法および野菜栽培設備を実施するための形態を図面に基づいて説明する。
【００３３】  図１〜図６は、本発明に係る野菜栽培方法および野菜栽培設備を実施するための形態の第１例を示すものである。
【００３４】  第１例は、繰返し収穫が可能な野菜Ｖとして、ユリ科ネギ属の多年草である「にら」の栽培に適用されるものを示してある。また、日照に制約のある環境下として、支脚１０に傾斜して支持された太陽電池モジュール２０で覆われる設置面３０が示されている。
【００３５】  まず、本発明に係る野菜栽培設備を実施するための形態の構成を説明する。
【００３６】  第１例は、図１，図２に示すように、栽培地１，回転受座２，設置台３で構成されている。
【００３７】  栽培地１は、図１（Ａ）に示すように、側壁部１１，底部１２，取手１３，培土１４によって円盤状に形成されている。側壁部１１は、軸長の短い円筒体からなるもので、例えば、直径が２５０ｃｍで軸長（深さ）が２０ｃｍの寸法とされる。底部１２は、外径が側壁部１１の外径と一致し内径が側壁部１１の内径よりも小さなリング板（ドーナツ板）形で側壁部１１の下端口に同軸に固着された底枠１２ａと、底枠１２に張設された水抜孔となる網板１２ｂとからなる。取１３は、側壁部１１の外周面の上部に固着された小片からなるもので、栽培地１を回転させる際に手を掛けやすいように放射状の位置に複数個が配置されている。培土１４は、培養土，腐葉土等からなるもので、側壁部１１，底部１２で囲まれる空間に収容される。
【００３８】  回転受座２は、図１（Ａ）に示すように、側壁部２１，底部２２からなる。側壁部２１は、軸長の短い（栽培地１の側壁部１１の軸長よりも短い）円筒体からなるもので、外径が栽培地１の側壁部１１の外径よりも大きく内径が栽培地１の側壁部１１の外径とほぼ一致（微小な隙間を有する）している。底部２２は、外径が側壁部２１の外径と一致し内径が側壁部２１の内径よりも小さく栽培地１の底部１２の底枠１２ａの内径と−致するリング板（ドーナツ板）形からなるもので、側壁部２１の下端口に同軸に固着されている。
【００３９】  これ等の栽培地１，回転受座２は、図１（Ｂ）に示すように、回転受座２の側壁部２１に栽培地１の側壁部１１を嵌合（遊嵌合）させ、回転受座２の底部２２で栽培地１の底部１２の底枠１２ａを下支えする格好で組立てられる。
【００４０】  栽培地１，回転受座２が組立てられた状態では、回転受座２の内部で栽培地１が円盤中心点Ｐを中心にして回転可能になる。なお、栽培地１の側壁部１１，底部１２と回転受座２の側壁部２１，底部２２との当接面については、少なくとも表面にメタルレス樹脂，オイルレスメタル等の恒常的に平滑性を発揮する材科で処理を施すのが好ましい。このような処理は、機械的なベアリング等の装備を不要にする。
【００４１】  設置台３は、図２に示すように、回転受座２の底部２２を下支えせする支持枠３１と、支持枠３１に固定され設置面３０打込まれて支持枠３１を設置面３０上の一定の高さに水平に支持する支持脚３２とからなる。
【００４２】  第１例の構成によると、構造が簡素な栽培地１，回転受座２，設置台３からなるため、安価，容易に製造することができる。また、栽培地１，回転受座２，設置台３の平面的な設備高さに構成されるため、図３に示すように、太陽電池モジュール２０の下方の低い設備高さしか確保されない設置面３０にも容易に設置することができる。
【００４３】  第１例は、水平に設置された栽培地１の培土１４に播種，移植等によって野菜Ｖを植付け生育させることになる。
【００４４】  次に、本発明に係る野菜栽培設備を実施するための形態の操作，動作の説明に基づいて、本発明に係る野菜栽培方法を実施するための形態を説明する。
【００４５】  栽培地１の培土１４に植付けられた野菜Ｖに対しては、太陽電池モジュール２０の傾斜上方側（日照前側）で日照量が多く傾斜下方（日照後側）側で日照量が少なくなる。従って、図３に示すように、野菜Ｖは、日照前側で相対的に大きく生育し、日照後側で相対的に小さく生育することになる。
【００４６】  そこで、日照前側の野菜Ｖが収穫期になった場合には、図４に示すように、栽培地１の日照前側の半部Ａ（５０％に限定されるわけではない）で生育している野菜Ｖのみを収穫する。「にら」の場合、株元から３〜４ｃｍ残して刈取ることになる。なお、収穫後には、必要に応じて栽培地１の日照前側の半部Ａの培土１４にお礼肥を施す。
【００４７】  この後、図５に示すように、栽培地１を９０度回転させる。
【００４８】  このとき、栽培地１を取手１３に手を掛けて回転させるため、栽培地１の手動による回転を容易かつ確実に行うことができるため、栽培地１の操作性が良好になる。そして、栽培地１の回転を手動で行うため、回転駆動の動力が不要で栽培（運転）コストを削減することができる。なお、回転受座２の底部２２に対して荷重をかける栽培地１の底部１２がリング板形の小さな面積で当接しているのみで円板形の全面で当接しているわけではないため、栽培地１の回転の摩擦抵抗が少なく円滑な回転が確保される。また、前述の平滑化の処理が行われることも、栽培地１の回転の円滑化に役立つ。
【００４９】  栽培地１が回転されると、日照後側の半部Ｂが日照前側に位置されることになる。この結果、次の収穫期には、野菜Ｖの生育が図３に示した状態になる。そこで、前述の収穫等が繰返される。「にら」の場合、１年目で２ヶ月に１同で２年目に１ヶ月に１回以上の収穫となる。
【００５０】  即ち、少なくとも２回の収穫期を通して栽培地１の全体の日照の差を解消することができる。また、栽培地１のための支持脚構造や回転駆動機構が不要であることから、日照に制約のある環境下での繰返し収穫が可能な野菜Ｖの栽培について、装置規模を大型化させることがない。
【００５１】  この結果、元々制約されている日照に差を生じさせず、野菜Ａの生育に差をもたらすことがなくなることになる。従って、繰返し収穫が可能な野菜Ａについては、生育の差からの収穫量の減退を避けることができる。
【００５２】  また、太陽電池モジュール２０で覆われる設置面３０ような日照に制約のある環境下にあるデッドスペースを野菜Ａの栽培に活用することができる。
【００５３】  図７〜図１１は、本発明に係る野菜栽培方法および野菜栽培設備を実施するための形態の第２例を示すものである。
【００５４】  第２例では、第１例の回転受座２の平面形状をＵ字形に変形している。
【００５５】  即ち、栽培地１を回転受座２に沿ってスライド可能に構成している。なお、栽培地１のスライド方向は、日照前後側方向に設定されている、栽培地１の日照後側方向へのスライド限界は、回転受座２の側壁部２１のＵ字形の基部がストッパとなって規制する。また、栽培地１の日照前側方向へのスライド限界は、回転受座２の側壁部２１のＵ字形の開放部の端部に固着された円弧形のストッパ２３によって規制される。このストッパ２３は、図１０に示すように、日照前側方向へのスライド限界における栽培地１の円盤中心点Ｐが回転受座２の底部２２のＵ字形の開放部の端部よりも少しの間隔Ｓをもって内側（Ｕ字形の基部側）に位置するように設定される。この結果、栽培地１の回転受座２からの脱落や回転受座２の上での姿勢の不安定化が防止されるため、栽培地１の回転，スライドを安定的かつ確実に実行することができるようになる。
【００５６】  第２例によると、図９に示すように、野菜Ｖの収穫の際に、栽培地１を目照前側方向へスライドさせることになる。
【００５７】  即ち、太陽電池モジュール２０の傾斜上方側である相対的に広く開放された位置に栽培地１がスライドされるため、野菜Ｖの収穫作業を容易に行うことができるようになる。
【００５８】  この後、栽培地１をスライドされた位置で回転させるか、栽培地１を日照前側方向へスライド復帰させた後に回転させることになる。
【００５９】  図１２は、本発明に係る野菜栽培方法および野菜栽培設備を実施するための形態の第３例を示すものである。
【００６０】  第３例は、前述の第１例について、栽培地１の底部１２に養液Ｗを貯溜するタンク１５を吊下げ固定して回転受座２の内部に侵入させてある。
【００６１】  第３例では、野菜Ａが「クレソン」の場合に水耕栽培を行うことができる。なお、栽培地１の培土１４については、培土代用マット１６に変更されることになる。
【００６２】  第３例によると、栽培地１の回転の際にタンク１５も一体的に回転されるため、栽培地１の回転によって野菜Ｖの根が捻れ損傷することがない。
【００６３】  図１３は、本発明に係る野菜栽培方法および野菜栽培設備を実施するための形態の第４例を示すものである。
【００６４】  第４例は、前述の第２例について、栽培地１の底部１２に養液Ｗを貯溜するタンク１５を吊下げ固定して回転受座２の内部に侵入させてある。
【００６５】  第４例によると、第３例とほぼ同様の作用，効果が奏されることになる。
【００６６】  なお、第４例では、設置台３の支持枠３１について、栽培地１の底部１２が通過可能な切欠き構造を設けておく必要がある。
【００６７】  図１４は、本発明に係る野菜栽培方法および野菜栽培設備を実施するための形態の第５例を示すものである。
【００６８】  第５例は、多数基の太陽電池モジュール２０が隣接して設置されるソーラ基地等において、太陽電池モジュール２０を傾斜上方側で支持する支脚１０に反射板４を取付けて、日光Ｓａの反射光Ｓｂを隣接する太陽電池モジュール２０で覆われている栽培地１で育成される野菜Ｖに照射するように構成している。
【００６９】  第５例によると、太陽電池モジュール２０で覆われている栽培地１で育成される野菜Ｖに対する日照を増加させることができ、野菜Ｖの育成期間を短縮して収穫量を増大させることができる。
【００７０】  図１５は、本発明に係る野菜栽培方法および野菜栽培設備を実施するための形態の第６例を示すものである。
【００７１】  第６例は、多数基の太陽電池モジュール２０が隣接して設置されるソーラ基地等において、各栽培地１における水，温度や野菜Ｖの育成度を検出するセンサユニット５を備え、これ等のセンサユニット５を管理コンピュータ６に接続した構成としてある。なお、管理コンピュータ６は、通信回線，コンピュータネットワーク等に接続され、遠隔地にあるパーソナルコンピュータ，携帯用通信端末器等の端末器７に対して情報送信が可能になっている。
【００７２】  第６例によると、遠隔地において端末器７から野菜Ｖの育成状態等を監視することができる。
【００７３】  以上、図示した各例の外に、繰返し収穫が可能な野菜Ａとして、「しそ」，「みつば」，「きのこ」等が挙げられる。なお、収穫については、野菜Ａの種類によって刈取り以外に摘取り等が選択される。
【産業上の利用可能性】
【００７４】  本発明に係る野菜栽培方法および野菜栽培設備は、太陽電池モジュール以外に建屋の階段の下方の地面等のように構築物の近辺等のような日照に制約のある広汎な環境下での野菜の栽培に適用することが可能である。
【符号の説明】
【００７５】１            栽培地
１３          取手
２            回転受座
２３          ストッパ
Ｐ            円盤中心点
Ｖ            野菜
【要約】
【課題】  構築物の近辺等のような日照に制約のある環境下で繰返し収穫が可能な野菜を育成，収穫するための野菜栽培について、装置規模を大型化させることないようにし、低い設備高さしか確保することのできない場所でも実施できるようにする。
【解決手段】  繰返し収穫が可能な野菜が育成される円盤状の栽培地１と、栽培地１を水平に設置させ手動によって円盤中心点を中心に回転させることができるように支持する回転受座２とを備えてなる。回転受座２は、栽培地１を日照前後側方向にスライドさせることができる。
【選択図】図１【図１】
0005517011.tif 000002
【図２】
0005517011.tif 000003
【図３】
0005517011.tif 000004
【図４】
0005517011.tif 000005
【図５】
0005517011.tif 000006
【図６】
0005517011.tif 000007
【図７】
0005517011.tif 000008
【図８】
0005517011.tif 000009
【図９】
0005517011.tif 000010
【図１０】
0005517011.tif 000011
【図１１】
0005517011.tif 000012
【図１２】
0005517011.tif 000013
【図１３】
0005517011.tif 000014
【図１４】
0005517011.tif 000015
【図１５】
0005517011.tif 000016